(57)【要約】【課題】ごみの付着の具合が一目でわかり、風呂水ポンプへの脱着を容易とすることで、衛生的な風呂水を汲み上げることができる風呂水ポンプ用フィルタを提供する。【解決手段】風呂水ポンプ用フィルタ１０は、風呂水を汲み上げ、洗濯水として使用するための風呂水ポンプのホースの先端部に設けられた取水部５０であって、フィルタを備えた取水部に被せ、外側フィルタとして機能する袋状に形成された外装部材２０と、外装部材２０の広口の開口部の周縁を絞って、取水部５０に被せた状態の外装部材３０を取水部５０に取り付ける保持部３０とを備えている。保持部３０は、外装部材３０の開口部の周縁部に沿って設けた通し穴２０ａに挿通させた紐３０ａとしたり、バンドとしたりすることができる。【選択図】図１
2012235898.tif 000002
【特許請求の範囲】
【請求項１】
風呂水を汲み上げ、洗濯水として使用するための風呂水ポンプのホースの先端部に設けられた取水部であって、フィルタを備えた取水部に被せ、外側フィルタとして機能する外装部材と、
前記外装部材の周縁部を絞って、前記取水部に被せた状態の前記外装部材を前記取水部に取り付ける保持部とを備えたことを特徴とする風呂水ポンプ用フィルタ。
【請求項２】
前記保持部は、周縁部に沿って配置された紐帯状体により形成されている請求項１記載の風呂水ポンプ用フィルタ。
【請求項３】
前記保持部は、前記外装部材の周縁部に沿って配置され、弾性収縮する弾性部材により形成されている請求項１記載の風呂水ポンプ用フィルタ。
【請求項４】
前記外装部材内に配置され、前記外装部材の底部と前記取水部の取水面との間に隙間を確保する隙間部材が設けられた請求項１から３のいずれかの項に記載の風呂水ポンプ用フィルタ。
【請求項５】
前記隙間部材は、
前記取水部の基端側に位置する第１の枠部材と、
前記取水部の前方に位置する第２の枠部材と、
前記第１の枠部材と前記第２の枠部材とを連結し、前記保持部により取り付けられた前記外装部材の開口部から底部との間の隙間を確保する連結部材とにより形成されている請求項４記載の風呂水ポンプ用フィルタ。
【発明の詳細な説明】
【技術分野】
【０００１】
本発明は、風呂水を洗濯水として汲み上げる風呂水ポンプ用のフィルタに関するものである。
【背景技術】
【０００２】
風呂水は環境保護、経費節減の観点から再利用されることが一般的になっている。特に、風呂水を洗濯水として使用するときには風呂水ポンプが用いられる。この風呂水ポンプは、ホースの先端部を風呂水が溜まった浴槽に漬け、ポンプにより汲み上げ、ホースの後端部から洗濯機の洗濯槽に排出するものである。風呂水ポンプは洗濯機と別々にホームセンターなどで購入できる他、洗濯機に付属されることがある。
このような風呂水ポンプは、浴槽内の髪や湯垢、異物などのごみを吸い込んで洗濯物に付着しないように、ホースの先端部にごみを除去するためのフィルタを備えた取水部が設けられている。
【０００３】
風呂水を汲み上げる際に、ごみを除去するためのフィルタに関し、風呂水を洗濯水として汲み上げる風呂水ポンプではないが、特許文献１に記載されたものが知られている。
この特許文献１に記載の風呂水浄水器は、活性炭を内蔵した半球状のフィルタに、粗めのフィルタをファスナーにより取り付け、風呂下部循環口に嵌め込んだものである。
【先行技術文献】
【特許文献】
【０００４】
【特許文献１】実開昭６２−１７１６号公報
【発明の概要】
【発明が解決しようとする課題】
【０００５】
従来の風呂水ポンプでは、ホースの先端部に設けられたフィルタがケース内に設けられていることが多く、フィルタが除去したごみが蓄積しても、使用者が気がつかない場合が多い。また、フィルタが汚れても交換が容易でなく、手間がかかる。
特許文献１の粗めのフィルタはファスナーにより取り付けられているため、部品点数が多く、脱着が煩雑である。
【０００６】
そこで本発明は、ごみの付着の具合が一目でわかり、風呂水ポンプへの脱着を容易とすることで、衛生的な風呂水を汲み上げることができる風呂水ポンプ用フィルタを提供することを目的とする。
【課題を解決するための手段】
【０００７】
本発明の風呂水ポンプ用フィルタは、風呂水を汲み上げ、洗濯水として使用するための風呂水ポンプのホースの先端部に設けられた取水部であって、フィルタを備えた取水部に被せ、外側フィルタとして機能する外装部材と、前記外装部材の周縁部を絞って、前記取水部に被せた状態の前記外装部材を前記取水部に取り付ける保持部とを備えたことを特徴とする。
【０００８】
本発明の風呂水ポンプ用フィルタによれば、外装部材が外側フィルタとして機能することにより、外装部材の表面に蓄積された風呂ごみを外観から容易に視認することができるので、交換時期または清掃時期の判断が容易である。また、外装部材の周縁部に配置された保持部を広げて取水部に被せ、保持部を絞り込むことで、外装部材を取水部に取り付けることができるので、簡単に取り付けることができる。
【０００９】
前記保持部は、周縁部に沿って配置された紐帯状体により形成されているのが望ましい。周縁部が広がった状態の外装部材を取水部に被せ、保持部として機能する紐状体や帯状体などの紐帯状体により絞り込むことで、外装部材を取水部に取り付けることができる。
【００１０】
前記保持部は、前記外装部材の周縁部に沿って配置され、弾性収縮する弾性部材により形成されているのが望ましい。保持部として機能する弾性部材を広げて、周縁部が広がった状態の外装部材を取水部に被せ、弾性部材の弾性収縮により取水部に密着させることで外装部材の周縁部が絞り込まれ、外装部材を取水部に取り付けることができる。
【００１１】
前記外装部材内に配置され、前記外装部材の底部と前記取水部の取水面との間に隙間を確保する隙間部材が設けられているのが望ましい。外装部材内に隙間部材が設けられていることで、取水部の取水面の前方に位置する外装部材の底部に風呂水のごみが溜まっても、他の外装部材から風呂水を吸い込むことができるので、効率よく取水することができる。
【００１２】
前記隙間部材は、前記取水部の基端側に位置する第１の枠部材と、前記取水部の前方に位置する第２の枠部材と、前記第１の枠部材と前記第２の枠部材とを連結し、前記保持部により取り付けられた前記外装部材の開口部から底部との間の隙間を確保する連結部材とにより形成されているのが望ましい。隙間部材を第１の枠部材と第２の枠部材と連結部材とにより隙間部材を形成することで、簡単な構成で作製することができる。
【００１３】
前記外装部材は、前記取水部のフィルタより粗さが細かく形成されているのが望ましい。外側フィルタとして機能する外装部材が風呂水のごみを除去することで、清掃や交換が難しい取水部のフィルタのメンテナンスをしなくてもよいので、煩雑な作業が不要である。
【発明の効果】
【００１４】
本発明は、外側フィルタとして機能する外装部材を、容易に取水部に取り付けることができるので、ごみの付着の具合が一目でわかり、風呂水ポンプへの脱着を容易とすることで、風呂水を衛生的に汲み上げることができる。
【図面の簡単な説明】
【００１５】
【図１】本発明の実施の形態１に係る風呂水ポンプ用フィルタを示す斜視図である。
【図２】図１に示す風呂水ポンプ用フィルタの使用状態を示す斜視図である。
【図３】本実施の形態１に係る風呂水ポンプ用フィルタの第１変形例を示す斜視図であり、（Ａ）は外装体を示す図、（Ｂ）は全体を示す図である。
【図４】本実施の形態１に係る風呂水ポンプ用フィルタの第２変形例を示す斜視図である。
【図５】本発明の実施の形態２に係る風呂水ポンプ用フィルタを示す斜視図である。
【図６】図４に示す風呂水ポンプ用フィルタのバンドの取り付け位置を説明するための斜視図である。
【図７】図４に示す風呂水ポンプ用フィルタの使用状態を示す斜視図である。
【図８】本発明の実施の形態３に係る風呂水ポンプ用フィルタを示す斜視図である。
【図９】図７に示す風呂水ポンプ用フィルタの隙間部材の変形例を示す斜視図である。
【発明を実施するための形態】
【００１６】
（実施の形態１）
本発明の実施の形態１に係る風呂水ポンプ用フィルタを図１および図２に基づいて説明する。
図１に示すように、風呂水ポンプ用フィルタ１０は、ホースの先端部に配置されたフィルタを備えた取水部から風呂水を汲み上げて、洗濯水として使用するための風呂水ポンプに取り付けられるものである。この風呂水ポンプ用フィルタ１０は、風呂水ポンプとして、単体のものであっても、洗濯機に付属されたものであっても使用することができる。
【００１７】
風呂水ポンプ用フィルタ１０は、外側フィルタとして機能する外装部材２０と、外装部材２０の開口部に設けられた保持部３０とを備えている。
外装部材２０は、袋状とした不織布により形成することができる。この不織布は、単層のものでも複層のものでも使用できる。外装部材２０の形状は、立体的に、円柱状としたり、２枚の不織布のシートを貼りあわせた形状としたりした袋状とすることができる。なお、外装部材２０は、袋状とする以外に、平面的に、矩形状としたり、円形状としたりすることができる。
【００１８】
この外装部材２０に用いられる不織布は、風呂水ポンプの取水部に設けられたフィルタより粗さが細かく形成されている。また、この不織布は、風呂水ポンプの取水部に設けられたフィルタより粗くすることができる。
【００１９】
外装部材２０の周縁部となる広口の開口部には、紐帯状体を配置するための通し穴２０ａが設けられている。通し穴２０ａは、外装部材２０の開口部の一部を切り離し、内側、または外側に折り返して、溶着または接着することでできた１本の穴である。この通し穴２０ａは、外装部材２０の周縁部全体を１本の穴とする以外に、帯紐の一端と他端とを外装部材２０の周縁部に溶着または接着して通し穴を形成し、この通し穴を円周方向に沿って所定間隔ごとに配置することで、ズボンに設けられたベルトループのようにすることができる。
【００２０】
保持部３０は、通し穴２０ａに通すことで、リング状に形成された紐３０ａである。この紐３０ａは、風呂水が溜まった浴槽の中で使用しても耐久性があれば、様々な材質のものが使用できる。なお、紐３０は、紐状のもの以外に、帯状のものでも使用できる。紐３０ａは、通し穴２０ａの一方の開口部から入れ、他方の開口部から出して、両端部が結ばれていることで、外装部材２０の開口部の周縁に沿って配置される。
【００２１】
以上のように構成された本発明の実施の形態１に係る風呂水ポンプ用フィルタの使用状態について、図面に基づいて説明する。
図２に示すように、紐３０ａを広げた状態で、外装部材２０を風呂水ポンプのホース先端の取水部５０に被せ、紐３０ａを引っ張って紐３０ａを通した外装部材２０の開口部を絞り込むことで、外装部材２０を取水部５０に取り付けることができる。このように、簡単に取り付けることができる。
外装部材２０が外側フィルタとして機能することにより、外装部材２０の表面に蓄積された風呂ごみを外観から容易に視認することができるので、交換時期または清掃時期の判断が容易である。
【００２２】
また、外装部材２０を形成する不織布が風呂水ポンプの取水部に設けられたフィルタより粗さが細かく形成されていれば、取水部５０のフィルタで除去されるような浴槽中の細かな風呂ごみは、外装部材２０により除去されるので、清掃や交換が難しい取水部のフィルタのメンテナンスをしなくてもよい。
反対に、外装部材２０を形成する不織布が風呂水ポンプの取水部に設けられたフィルタより粗く形成されていれば、外装部材２０による流水の抵抗を低く抑えつつ、浴槽中の細かな風呂ごみを除去することができる。
【００２３】
（実施の形態１の第１変形例）
本発明の実施の形態１に係る風呂水ポンプ用フィルタの第１変形例を図３に基づいて説明する。図３においては、図１と同じ構成のものは同符号を付して説明を省略する。
図３（Ａ）および同図（Ｂ）に示す風呂水ポンプ用フィルタ１１は、外装部材２０の開口部の円周方向に沿って所定間隔ごとに、複数の通し穴２０ｂが設けられている。そして、この通し穴２０ｂに１本の紐３０ａが通されている。紐３０ａの通し方としては、最初の通し穴２０ｂに外側から内側へ通し、次の通し穴２０ｂでは紐３０ａを内側から外側へ通し、更に次の通し穴２０ｂでは紐３０ａを外側から内側へ通す。また、その反対方向でもよい。このようにして全部の通し穴２０ｂに紐３０ａを交互に通して外装部材２０の開口部を一周させる。
【００２４】
紐３０ａは、外装部材２０の開口部を一周しているので、紐３０ａを引きつつ、外装部材２０の開口部が引っ張られないように持つことで、外装部材２０の開口部を絞り込むことができる。このように保持部３１を、外装部材２０の開口部の円周方向に沿って所定間隔ごとに設けた複数の通し穴２０ｂと、その通し穴２０ｂに交互に挿通させた紐３０ａとにより形成することができる。
なお、図３に示す外装部材２０の通し穴２０ｂには、ハトメによる補強が施されているが、省略することもできる。
【００２５】
（実施の形態１の第２変形例）
本発明の実施の形態１に係る風呂水ポンプ用フィルタの第２変形例を図４に基づいて説明する。図４においては、図１と同じ構成のものは同符号を付して説明を省略する。
図４に示す風呂水ポンプ用フィルタ１２は、外装部材２０の開口部に２つの通し穴２１ａ、２１ｂが設けられていると共に、この通し穴２１ａ、２１ｂに２本の紐３０ａが通されている。
【００２６】
この２本の紐３０ａは、一方の通し穴２１ａの一端から入れて他端から出し、次に、他方の通し穴２１ｂの一端から入れて他端から出したものと、他方の通し穴２１ａの一端から入れて他端から出し、次に、一方の通し穴２１ｂの一端から入れて他端から出したものである。そして、２本の紐３０ａは、結び目が外装部材２０の一側と他側に位置するようにリング状に形成されている。そして、それぞれの紐３０ａの結び目を持ち、反対方向へ引っ張ることで、外装部材２０の開口部の周縁を絞り込むことができる。このように保持部３２を２つの通り穴２１ａ，２１ｂと２本の紐３０ａとにより形成することができる。
【００２７】
（実施の形態２）
本発明の実施の形態２に係る風呂水ポンプ用フィルタを図５から図７に基づいて説明する。図５から図７においては、図１と同じ構成のものは同符号を付して説明を省略する。
図５に示すよう風呂水ポンプ用フィルタ１３は、外装部材２０の周縁部である開口部に設けられた保持部３３が弾性収縮により外装部材２０の直径が縮小するリング状のバンド３２ａにより形成されている。バンド３２ａは、弾性部材の一例であるリング状のゴム帯紐とすることができる。バンド３２ａの収縮状態の直径は、弾性収縮して外装部材２０の開口部を絞り込んで、取水部５０の基端部またはホースに密着する方が風呂水ポンプ用フィルタ１３の基端部が固定されやすいので、取水部５０の基端部またはホース５２の直径より小さい方がよい。なお、バンド３２ａは、リング状とする以外に、一部が開放された帯紐状のもとすることができる。
【００２８】
バンド３２ａの外装部材２０への取り付け位置は、開口部の周縁部であればよい。例えば、図５に示すように上端であっても、図６に示すように外装部材２０の上端からクリアランスを確保した位置であってもよい。外装部材２０の上端からクリアランスを確保した方がバンド３２ａの取り付けが容易となるのであれば、図６に示すようにバンド３２ａと外装部材２０の上端との間に余裕を持たせるのが望ましい。
【００２９】
図７に示すように、このように風呂水ポンプ用フィルタ１３では、リング状のゴムにより形成されたバンド３２ａを保持部３３としているので、取り外すときに指を外装部材２０の開口部と取水部５０との間に挿入して、外装部材２０を引っ張ることで簡単に風呂水ポンプ用フィルタ１３を取り外すことができる。
【００３０】
（実施の形態３）
本発明の実施の形態３に係るに風呂水ポンプ用フィルタを図８に基づいて説明する。図８においては、図１と同じ構成のものは同符号を付して説明を省略する。
図８に示すように、風呂水ポンプ用フィルタ１４は、実施の形態１の風呂水ポンプ用フィルタ１０に、外装部材２０の底部２０ｘと取水部５０の取水面５１との間に隙間を確保する隙間部材４０を加えたものである。
【００３１】
隙間部材４０は、取水部５０の基端側に位置する第１の枠部材４１と、取水部５０の前方に位置する第２の枠部材４２と、第１の枠部材４１と第２の枠部材４２とを連結して、その間を一定間隔の距離に空ける連結部材４３とを備えている。
第１の枠部材４１は、取水部５０を内側に位置させることから、直径が取水部５０より大きな円形状に形成されている。第２の枠部材４２は円形状部材に十字状部材が設けられている。
連結部材４３は、第１の枠部材４１および第２の枠部材４２の周方向に沿って所定間隔ごとに配置されている。本実施の形態４では、９０°ごとの４箇所に設けられている。
【００３２】
このような隙間部材４０が外装部材２０内に配置されていることで、外装部材２０内で隙間部材４０は、取水部５０の基端方向への移動は外装部材２０の上部２０ｙにより規制され、取水部５０の先端方向への移動は外装部材２０の底部２０ｘにより規制されるため、外装部材２０の底部２０ｘと取水部５０の取水面５１との間には隙間Ｓができる。
この隙間Ｓができることにより、取水面５１と向き合う外装部材２０の底部２０ｘの表面に風呂水のごみが蓄積されても、外装部材２０の他の表面から風呂水が吸水できるので、効率よく風呂水を汲み上げることができる。
【００３３】
なお、風呂水ポンプの取水部５０のサイズは様々なものがあるため、保持部３０が保持する位置によっては、隙間部材４０を使用しても、外装部材２０の底部２０ｘと取水部５０の取水面５１との間に隙間Ｓが確保できない場合が生じるおそれがある。
その場合には、図９に示すように、外装部材２０内で隙間部材４０が移動しても確実に外装部材２０の底部２０ｘと取水部５０の取水面５１との間に隙間Ｓを確保するために、第２の枠部材４２に取水面５１に当接する当接部材４２ａを設けてもよい。
【産業上の利用可能性】
【００３４】
本発明の風呂水ポンプ用フィルタは、風呂水を洗濯水として汲み上げる風呂水ポンプであれば、単体で販売されているものや、洗濯機に付属されているものであっても取り付けて使用することができる。
【符号の説明】
【００３５】
１０，１１，１２，１３，１４  風呂水ポンプ用フィルタ
２０  外装部材
２０ａ，２０ｂ，２１ａ，２１ｂ  通し穴
２０ｘ  底部
２０ｙ  上部
３０，３１，３２  保持部
３０ａ  紐
３２ａ  バンド
４０  隙間部材
４１  第１の枠部材
４２  第２の枠部材
４２ａ  当接部材
４３  連結部材
５０  取水部
５１  取水面
５２  ホース
Ｓ  隙間
【図１】
2012235898.tif 000003
【図２】
2012235898.tif 000004
【図３】
2012235898.tif 000005
【図４】
2012235898.tif 000006
【図５】
2012235898.tif 000007
【図６】
2012235898.tif 000008
【図７】
2012235898.tif 000009
【図８】
2012235898.tif 000010
【図９】
2012235898.tif 000011